【事件の表示】
　特許第２８３７６７８号「静電荷像現像用トナー」の特許に対する特許異議の申立てについて、次のとおり決定する。
【結論】
　特許第２８３７６７８号の特許を維持する。
【理由】
Ｉ．本件発明
　本件特許第２８３７６７８号（昭和６３年１２月７日出願、平成１０年１０月９日設定登録）の請求項１に係る発明は、特許明細書の記載からみて、特許請求の範囲の請求項１に記載された次のとおりのものである。
「【請求項１】少なくとも結着樹脂及び着色剤よりなるトナーにおいて、荷電制御剤として、（ｉ）下記一般式（Ｉ）で示されるサリチル酸金属塩及び／又はサリチル酸誘導体の金属塩と、（ｉｉ）含クロムモノアゾ染料とを合わせ含有することを特徴とする静電荷像現像用トナー。
（但し、Ｒ１、Ｒ２及びＲ３は各々水素原子、炭素数１〜１０のアルキル基又はアリール基を表す。また、Ｍｅは亜鉛、ニッケル、コバルト、鉛及び、クロムから選ばれるいずれかの金属原子を表す。）」
ＩＩ．申立ての理由の概要
　特許異議申立人中西恵子は、甲第１号証（特開昭６３−１１９５２号公報）、甲第２号証（特開昭６３−６８８４９号公報）、甲第３号証（特開昭６２−１４５２５５号公報）、甲第４号証（特開昭６３−６６２６３号公報）を提示し、
本件請求項１に係る発明は、甲第１乃至４号証に記載された発明に基づいて当業者が容易に発明をすることができたものであり、特許法第２９条第２項の規定に違反してなされたものであるから、本件特許を取り消すべき旨主張している。
ＩＩＩ．甲号各証記載の発明
　甲第１号証には、以下の記載がある。
▲１▼「１．結着樹脂と、親油基を有する芳香族ヒドロキシカルボン酸の金属錯体化合物（Ａ）と、親水基を有する金属錯塩型モノアゾ染料（Ｂ）とを含有することを特徴とする乾式電子写真用トナー。
　２．前記金属錯体化合物（Ａ）が、サリチル酸系またはナフトエ酸系の金属錯体化合物である特許請求の範囲第１項に記載の乾式電子写真用トナー。」（特許請求の範囲）
▲２▼「本発明の第１の目的は、乾式電子写真プロセスの定着工程において発生する“尾引き”と呼ばれる画像欠陥を防止し得る乾式トナーを提供することにある。
　本発明の第２の目的は、現像性、転写性に優れ、濃度の高い画像を与える乾式トナーを提供することにある。」（第２頁左上欄第６〜１２行）
▲３▼「これらの化合物Ａ、Ｂは、それぞれ単独にトナー中に添加された場合には、ともに荷電制御剤として同様の効果（例えば通常の負帯電性）を発現するものであるが、本発明においては、これら化合物Ａ、Ｂを組合せた際の相互作用を利用することにより、トナー粒子間のトリボ電荷分布の均一化を実現している。」（第３頁右上欄第１７行〜左下欄第３行）
▲４▼「金属錯体化合物Ａとして、より具体的には、下記の構造を有する錯体化合物が特に好ましく用いられる。
（第４頁左下欄第１〜４行）
▲５▼「上述したように本発明によれば、同一トナー中に含有させた場合にトリボ電荷に対して異なる挙動を示す２種類の帯電制御剤と、結着樹脂とを含有することにより、均一な摩擦帯電性を示す乾式電子写真用トナーが提供される。」（第６頁右下欄第１６〜２０行）
▲６▼「実施例１・・・・・・本発明の磁性トナー（ＭＩ値は１．３）を得た。
　この磁性トナーを、ヒートロール定着器を有する複写機（商品名セレックス８０２、コピア社製）に適用して、１，０００枚連続コピーを行った。
　得られたコピー上には、“尾引き”と呼ばれるトナー飛散は全く観察されなかった。また画像濃度は５００枚時で１．２８、１，０００枚時で１．３５であり、高い画像濃度が得られた。」（第７頁左上欄第１０行〜右上欄第１８行）
　甲第２号証には、以下の記載がある。
▲７▼「結着樹脂の主成分が・・・・ポリエステル樹脂より成り、少なくとも２種類の荷電制御剤を含有することを特徴とする電子写真用現像剤組成物。」（特許請求の範囲第１項）
▲８▼「該荷電制御剤が少なくとも１種類の正帯電性の荷電制御剤と、少なくとも１種類の負帯電性の荷電制御剤。」（特許請求の範囲第３項）
▲９▼「本発明の現像剤組成物は、上記のポリエステル樹脂と少なくとも２種の荷電制御剤、好ましくは正帯電性、負帯電性、各々１種類以上を必須成分とし、正帯電性の荷電制御剤の使用量を負帯電性の荷電制御剤の使用量の１／２以下とすることにより、５万枚以上連続コピーを行っても、濃度の低下もなく、良好な可視画像を得ることが可能となった。」（第５頁左下欄第４〜１１行）
▲１０▼「正帯電性の荷電制御剤の具体例としては、ニグロシン系染料・・・・その他を挙げることができる。
　負帯電性の荷電制御剤の具体例としては、含金属アゾ染料、例えば・・・・・「アイゼンスピロンブラックＴＶＨ」（保土ケ谷化学社製）等・・・・サリチル酸のアルキル誘導体の金属錯体、例えば・・・・・「ボントロンＥ−８４」・・・・・（以上、オリエント化学社製）等、その他を挙げることができる。」（第５頁左下欄第１２行〜右下欄第１３行）
▲１１▼「実施例１
　結着樹脂（１）　　　　　　　　　　　　　　　　９０部
　カーボンブラック「リーガル４００Ｒ」　　　　　　７部
　　　　　（キャボット社製）
　負帯電性荷電制御剤
　「アイゼンスピロンブラックＴＶＨ」　　　　　　　２部
　　　　（保土ケ谷化学社製）
　正帯電性荷電制御剤
　「ボントロンＰ−５１」（オリエント化学社製）０．９部
　・・・・・・
　実施例３
　結着樹脂（１）　　　　　　　　　　　　　　　　９０部
　カーボンブラック「リーガル４００Ｒ」　　　　　　７部
　負帯電性荷電制御剤
　「ボントロンＥ−８４」（オリエント化学社製）　　２部
　正帯電性荷電制御剤
　「ボントロンＮ−１１」（オリエント化学社製）０．９部」（第７頁左上欄第１７行〜右上欄下から第５行）
　甲第３号証には、以下の記載がある。
▲１２▼「サリチル酸金属塩及び／又はサリチル酸誘導体の金属塩を含有したことを特徴とする静電荷像現像用トナー。」（特許請求の範囲）
▲１３▼「本発明で荷電制御剤として用いられるサリチル酸又はサリチル酸誘導体の金属塩は下記の一般式によって表すことができる。
（但し、Ｒ１、Ｒ２およびＲ３は水素又は炭素数１〜１０のアルキル基或いはアリル基であるが特に水素又は炭素数１〜６のアルキル基或いはアリル基が望ましい。ここでＲ１、Ｒ２およびＲ３は同時に同じであっても異なっていてもよい。また、Ｍｅは亜鉛、ニッケル、コバルト、鉛、クロムから選ばれるいずれかの金属であるのが特に亜鉛が望ましい。）」（第２頁左下欄第１０行〜右下欄第４行）
▲１４▼「サリチル酸又はサリチル酸誘導体の金属錯体を荷電制御剤として用いること（特開昭５５−４２７２５号公報）は知られているが、このものでは下記にみられるように本発明者等が意図する程度には効果が得られない。」（第３頁右下欄第１６〜２０行）
▲１５▼「実施例３
　トナー成分を下記のものに代えた以外は実施例１とまったく同様にして本発明に係る粒径５〜２０μｍの赤色トナーを作製し二成分型乾式現像剤をつくった。これのブローオフ法による帯電量は−２１μＣ／ｇであった。
　スチレン−ｎブチルメタクリレート共重合体　１００部
　３，５−ジターシャリーブチルサリチル酸亜
　鉛塩（オリエント化学製ボントロンＥ−８４）　　３部
　ナフトールレッドＦＧＲ（ヘキスト社製）　　　　５部
　この現像剤を用いリコー社製電子複写機（ＦＴ４０６０）で６００００枚の連続複写をしたところ安定でかつ良好な赤色コピーが６００００枚後も得られた。」（第４頁右下欄下から第４行〜第５頁左上欄第１１行）
　甲第４号証には、以下の記載がある。
▲１６▼「下記一般式（式は省略する）で表わされる金属錯体化合物を含有することを特徴とする電子写真用トナー。」（特許請求の範囲第２項）
▲１７▼「本発明の第一の発明の金属錯塩化合物は・・・・・・で表わされるモノアゾ化合物を合成し、次にこのモノアゾ化合物を水あるいは有機溶媒中、常法によりクロム、コバルトあるいは鉄金属化付与剤で処理することにより、高収率で金属錯体化合物を得ることが出来る。」（第３頁左下欄第９行〜第４頁左上欄第６行）
▲１８▼「トナーの製造：
　スチレン−アクリル共重合系樹脂１００部にカーボンブラック７部と前記合成した錯体化合物１．０部を加え、よく混合後、加熱溶融させて冷却後ボールミル中で粉砕して負荷電する微細な現像粉を得た。」（第５頁左上欄第１〜６行）
ＩＶ．当審の判断
　本件発明は、乾式トナーにおいて、結着樹脂と着色剤を分散しただけでは望ましい帯電性が得られず、帯電制御剤が適量添加されているが、負電荷を与えるものとして従来知られている含金属染料を用いたものは、荷電制御性は不十分で、単独では十分な帯電量が得られないこと、また、サリチル酸金属塩及びサリチル酸誘導体の金属塩を含有するトナーは、荷電制御性は十分であるがトナーが現像ローラ等へ付着すること（本件特許公報第２欄第７行〜第３欄第４行参照）等の問題点を解決すべくされたもので、長期間の使用においても、安定した帯電量が維持され、常に安定した画像が得られると共に、現像スリーブ、感光体等へのトナーフィルミングが発生しない（本件特許公報第８欄第２４〜２８行参照）、という効果を奏するものである。
　それに対して、甲第１号証には、「乾式電子写真プロセスの定着工程において発生する“尾引き”と呼ばれる画像欠陥を防止し、現像性、転写性に優れ、濃度の高い画像を与える乾式トナーを提供する」ことを目的として（上記▲２▼参照）、「親油基を有する芳香族ヒドロキシカルボン酸の金属錯体化合物（Ａ）と、親水基を有する金属錯塩型モノアゾ染料（Ｂ）とを含有する」ものであり、親油基を有する芳香族ヒドロキシカルボン酸の金属錯体化合物（Ａ）の実例として、サリチル酸誘導体の金属錯体化合物が、また、実施例において１０００枚連続コピー時の評価を行う（上記▲６▼参照）と共に、特許請求の範囲に記載された構成をとることにより、均一な摩擦帯電性を示す乾式電子写真用トナーが提供される、という効果を奏する（上記▲３▼、▲５▼参照）ことが、記載されている。
　しかしながら、甲第１号証の、サリチル酸誘導体の金属錯体化合物は、本件の比較例５で用いている錯化合物に相当するもので、本件発明の、一般式（Ｉ）で示されるサリチル酸誘導体の金属塩とは異なるものであり、他に、一般式（Ｉ）で示されるサリチル酸誘導体の金属塩を用いること、特に含クロムモノアゾ染料と合わせて含有することについて、また、長期間の使用（５０，０００枚以上）においても、安定した帯電量が維持され、常に安定した画像が得られると共に、現像スリーブ、感光体等へのトナーフィルミングが発生するという問題点が解決できることについては、記載も示唆もされていない。
　また、甲第２号証には、特定のポリエステル樹脂を結着樹脂として用いると共に、２種類の荷電制御剤を含有することを特徴とする電子写真用現像剤組成物（上記▲７▼参照）に関し、負帯電性の荷電制御剤として、含アゾ染料及びサリチル酸のアルキル誘導体の金属錯体等が例示（上記▲１０▼参照）されている。
　しかしながら、サリチル酸のアルキル誘導体の金属錯体は、本件の一般式（Ｉ）で示されるサリチル酸金属塩又はサリチル酸誘導体の金属塩とは異なるものであるし、かつ、甲第２号証には、正及び負帯電性の各々１種類以上を用いることが好ましい（上記▲９▼参照）とし、実施例には、正及び負帯電性の各々１種類の荷電制御剤を用いる例が記載され（上記▲５▼参照）ていて、どちらも、負帯電性の荷電制御剤である、含アゾ染料と、サリチル酸のアルキル誘導体の金属錯体との２種類の荷電制御剤を用いた例は記載されていないし、まして含アゾ染料と、金属錯体とは異なる、本件の一般式（Ｉ）で示されるサリチル酸金属塩又はサリチル酸誘導体の金属塩とを用いること、及びそれによる、長期間の使用においても、安定した帯電量が維持され、常に安定した画像が得られると共に、現像スリーブ、感光体等へのトナーフィルミングが発生するという問題点が解決できることについては、記載も示唆もされていない。
　また、甲第４号証には、電子写真用トナーの荷電制御剤及び着色剤として、含クロムモノアゾ染料を含む金属錯塩化合物を用いること（上記▲１７▼、▲１８▼参照）が記載されているが、本件発明の一般式（Ｉ）で示されるサリチル酸の金属塩又はサリチル酸誘導体の金属塩と合わせて含有させること、またそれによる作用効果については、記載も示唆もされていない。
　一方、甲第３号証には、静電荷像現像用トナーに関し、荷電制御剤として、一般式（Ｉ）で示されるサリチル酸金属塩及びサリチル酸誘導体の金属塩を用いることが記載されている。
　しかしながら、甲第３号証は、本件において、トナーの現像ローラーへの付着等の問題点がある先行文献としてあげられた（本件明細書第２欄末行〜第３欄第４行）もので、荷電制御剤として、一般式（Ｉ）で表されるサリチル酸金属塩及びサリチル酸誘導体の金属塩を用いることの記載はあるが、含クロムモノアゾ染料を用いることについては記載も示唆もされていないし、まして、一般式（Ｉ）で示されるサリチル酸金属塩及びサリチル酸誘導体の金属塩と含クロムモノアゾ染料とを合わせ含有させること、及びそれによる、長期間の使用においても、安定した帯電量が維持され、常に安定した画像が得られると共に、現像スリーブ、感光体等へのトナーフィルミングが発生しない、という作用効果については、記載も示唆もされていない。
　すなわち、上記甲第１乃至４号証のいずれにも、結着樹脂及び着色剤よりなるトナーにおいて、荷電制御剤として、一般式（Ｉ）で示されるサリチル酸金属塩又はサリチル酸誘導体の金属塩と、含クロムモノアゾ染料とを合わせ含有すること、更にそのことによる、長期間の使用においても、安定した帯電量が維持され、常に安定した画像が得られると共に、現像スリーブ、感光体等へのトナーフィルミングが発生しない、という効果については記載も示唆もされていない。
　したがって、本件発明は、甲第１乃至４号証に記載された発明に基づいて、当業者が容易に発明をすることができたものとすることはできない。
Ｖ．むすび
　以上のとおりであるから、特許異議申立の理由及び証拠によっては、本件請求項１に係る特許を取り消すことはできない。
　また、他に本件請求項１に係る特許を取り消すべき理由を発見しない。
　よって、結論のとおり決定する。
【異議決定日】
平成１１年９月８日（１９９９．９．８）